(57)【要約】【課題】駆除対象虫の駆除作業の容易化を図る。【解決手段】加熱手段３を備えた床部１に存在する駆除対象虫を駆除する虫駆除方法において、床部１から忌避する駆除対象虫を捕獲可能な膜状の虫駆除用捕獲体５を床部１の表面部を覆うように設置した状態で、駆除対象虫が床部１から忌避するように加熱手段３にて床部１を加熱し、床部１から忌避する駆除対象虫を虫駆除用捕獲体５にて捕獲する。【選択図】        図１
2004180510.tif 000002
【特許請求の範囲】
【請求項１】
加熱手段を備えた床部に存在する駆除対象虫を駆除する虫駆除方法であって、
前記床部から忌避する駆除対象虫を捕獲可能な膜状の虫駆除用捕獲体を前記床部の表面部を覆うように設置した状態で、駆除対象虫が前記床部から忌避するように前記加熱手段にて前記床部を加熱し、前記床部から忌避する駆除対象虫を前記虫駆除用捕獲体にて捕獲する虫駆除方法。
【請求項２】
加熱手段を備えた床部の表面部を覆う状態に設置自在で、かつ、前記加熱手段による加熱にて前記床部から忌避する駆除対象虫を捕獲可能に構成されている虫駆除用捕獲体。
【請求項３】
前記床部から忌避した駆除対象虫が入り込むことにより捕獲可能に構成されている請求項２に記載の虫駆除用捕獲体。
【請求項４】
前記床部から忌避した駆除対象虫を粘着することにより捕獲可能に構成されている請求項２または３に記載の虫駆除用捕獲体。
【請求項５】
前記床部から忌避する駆除対象虫が好むように構成されている請求項２〜４のいずれか１項に記載の虫駆除用捕獲体。
【発明の詳細な説明】
【０００１】
【発明の属する技術分野】
本発明は、加熱手段を備えた床部に存在する駆除対象虫を駆除する虫駆除方法に関する。
【０００２】
【従来の技術】
上記のような虫駆除方法は、電気カーペットや床暖房パネルなどの加熱手段を備えた床部に存在するダニなどの駆除対象虫を駆除する方法である。
このような虫駆除方法として、従来では、ダニなどの駆除対象虫が致死状態に至るように加熱手段にて加熱していた（例えば、特許文献１参照。）。
【０００３】
【特許文献１】
特公平６−７２７００号公報
【０００４】
【発明が解決しようとする課題】
上記従来の虫駆除方法では、ダニなどの駆除対象虫が致死状態に至るように加熱手段にて加熱しているので、致死状態に至った駆除対象虫が床部に存在することになる。
したがって、駆除対象虫を床部から駆除するために、加熱手段にて床部を加熱するだけでなく、致死状態に至った駆除対象虫を掃除機などによって床部から取り除く作業が必要となり、手間のかかるものとなっていた。
【０００５】
本発明は、かかる点に着目してなされたものであり、その目的は、駆除対象虫の駆除作業の容易化を図ることができる虫駆除方法を提供する点にある。
【０００６】
【課題を解決するための手段】
この目的を達成するために、請求項１に記載の発明によれば、加熱手段を備えた床部に存在する駆除対象虫を駆除する虫駆除方法において、
前記床部から忌避する駆除対象虫を捕獲可能な膜状の虫駆除用捕獲体を前記床部の表面部を覆うように設置した状態で、駆除対象虫が前記床部から忌避するように前記加熱手段にて前記床部を加熱し、前記床部から忌避する駆除対象虫を前記虫駆除用捕獲体にて捕獲する。
【０００７】
すなわち、ダニなどの駆除対象虫は、例えば、床部の温度が３５〜４０℃ぐらいになると、床部から忌避するという性質があるので、その性質を利用して、ダニなどの駆除対象虫が床部から忌避するように加熱手段にて床部の温度が、例えば、３５〜４０℃ぐらいになるように加熱することによって、駆除対象虫を床部から忌避させることができることになる。
そして、床部から忌避する駆除対象虫を捕獲可能な虫駆除用捕獲体を駆除対象虫が存在する床部の表面部を覆うように設置した状態で、駆除対象虫が床部から忌避するように加熱手段にて床部を加熱することによって、床部から忌避する駆除対象虫を虫駆除用捕獲体にて捕獲することができることになる。
【０００８】
したがって、駆除対象虫が存在する床部の表面部を覆うように虫駆除用捕獲体を設置した状態で、駆除対象虫が床部から忌避するように加熱手段にて床部を加熱することによって、床部に存在する駆除対象虫を虫駆除用捕獲体にて捕獲することができることになる。
そして、駆除対象虫を捕獲した虫駆除用捕獲体をそのまま床部から取り除く作業を行うことによって、駆除対象虫を床部から駆除できることになる。
【０００９】
以上のことから、虫駆除用捕獲体を駆除対象虫が存在する床部の表面部を覆うように設置し、駆除対象虫を捕獲した虫駆除用捕獲体を床部から取り除くという容易な作業を行うことによって、駆除対象虫を床部から駆除できることとなって、駆除対象虫の駆除作業の容易化を図ることができる虫駆除方法を提供できるに至った。
【００１０】
請求項２に記載の発明によれば、虫駆除用捕獲体が、加熱手段を備えた床部の表面部を覆う状態に設置自在で、かつ、前記加熱手段による加熱にて前記床部から忌避する駆除対象虫を捕獲可能に構成されている。
【００１１】
すなわち、虫駆除用捕獲体は、加熱手段を備えた床部の表面部を覆う状態に設置することができるとともに、そのように設置することによって、加熱手段による加熱にて床部から忌避する駆除対象虫を捕獲することができることになる。
そして、このような虫駆除用捕獲体を駆除対象虫が存在する床部の表面部を覆うように設置した状態で、駆除対象虫が床部から忌避するように加熱手段にて床部を加熱することによって、床部から忌避する駆除対象虫を虫駆除用捕獲体にて捕獲することができることになる。
したがって、上述のような構成の虫駆除用捕獲体を用いて、床部に存在する駆除対象虫を駆除することによって、請求項１に記載の如く、駆除対象虫の駆除作業の容易化を図ることができる虫駆除方法に利用可能な虫駆除用捕獲体を提供できるに至った。
【００１２】
請求項３に記載の発明によれば、請求項２に記載の虫駆除用捕獲体において、前記床部から忌避した駆除対象虫が入り込むことにより捕獲可能に構成されている。
【００１３】
すなわち、例えば、虫駆除用捕獲体を床部から忌避した駆除対象虫が入り込むことを許容する繊維系にて構成することにより、床部から忌避した駆除対象虫が入り込むことにより捕獲可能に虫駆除用捕獲体を構成することができることになる。
したがって、例えば、虫駆除用捕獲体を繊維系にて構成するだけで、虫駆除用捕獲体を構成することができることになるので、虫駆除用捕獲体の構成自体を容易なものとすることができることになる。
【００１４】
請求項４に記載の発明によれば、請求項２または３に記載の虫駆除用捕獲体において、前記床部から忌避した駆除対象虫を粘着することにより捕獲可能に構成されている。
【００１５】
すなわち、例えば、膜状のシートに虫駆除用捕獲体に粘着材を貼り付けることにより、床部から忌避した駆除対象虫を粘着することにより捕獲可能に虫駆除用捕獲体を構成することができることになる。
したがって、例えば、粘着材を貼り付けるだけで、虫駆除用捕獲体を構成することができることになるので、虫駆除用捕獲体の構成自体を容易なものとすることができることになる。
【００１６】
請求項５に記載の発明によれば、請求項２〜４のいずれか１項に記載の虫駆除用捕獲体において、前記床部から忌避する駆除対象虫が好むように構成されている。
【００１７】
すなわち、例えば、虫駆除用捕獲体に床部から忌避する駆除対象虫が好む物質を塗ることにより、床部から忌避する駆除対象虫が好むように虫駆除用捕獲体を構成することができることになる。
このように、床部から忌避する駆除対象虫が好むように虫駆除用捕獲体を構成するので、床部から忌避する駆除対象虫が虫駆除用捕獲体に移動することを誘起することができることになる。
したがって、床部から忌避する駆除対象虫を虫駆除用捕獲体にて的確に捕獲することができることとなって、駆除対象虫の駆除を的確に行うことができることになる。
【００１８】
【発明の実施の形態】
本発明にかかる虫駆除方法について図面に基づいて説明する。
〔第１実施形態〕
虫駆除対象の床部１は、図１に示すように、熱媒体流通管２が配設された加熱手段としての床暖房パネル３、および、カーペットなどの床仕上げ材４を備えて構成されている。
前記床暖房パネル３は、図外の熱源機からの熱媒を熱媒体流通管２に通流させることにより、床部１を加熱するように構成されている。
ちなみに、図１のものでは、床下地材６上には、断熱材７と下地合板８を敷設し、その上に床暖房パネル３を敷設するようにしている。
【００１９】
前記床仕上げ材４などに存在するダニなどの駆除対象虫を駆除する虫駆除方法について説明を加える。
前記床部１から忌避する駆除対象虫を捕獲可能な膜状の虫駆除用捕獲体５を床仕上げ材４の表面部を覆うように設置した状態で、駆除対象虫が床部１から忌避するように床暖房パネル３にて床部１を加熱し、床部１から忌避する駆除対象虫を虫駆除用捕獲体５にて捕獲する虫駆除方法により、床仕上げ材４などに存在するダニなどの駆除対象虫を駆除するようにしている。
【００２０】
上述の虫駆除方法について説明を加えると、ダニなどの駆除対象虫は、例えば、床部１の温度が３５〜４０℃ぐらいになると、床部１から忌避するという性質があるので、その性質を利用して、ダニなどの駆除対象虫が床部１から忌避するように床暖房パネル３にて床部１の温度が、例えば、３５〜４０℃ぐらいになるように加熱し、駆除対象虫を床仕上げ材４などの床部１から忌避させる。
ちなみに、図外のリモコンで温度制御することによって、ダニなどの駆除対象虫が床部１から忌避するように床暖房パネル３にて床部１の温度が、例えば、３５〜４０℃になるように加熱する。
一般的に、電気カーペット、床暖房は、即暖性が要求されるために、３５〜４０℃への到達時間を早めるように制御されるが、ダニなどの駆除対象虫を確実に床部１から忌避させるために、時間をかけて立ち上げるようにしてもよい。
【００２１】
そして、床部１から忌避する駆除対象虫を捕獲可能な虫駆除用捕獲体５を駆除対象虫が存在する床部１の表面部を覆うように設置した状態で、駆除対象虫が床部１から忌避するように床暖房パネル３にて床部１を加熱することによって、床部１から忌避する駆除対象虫を虫駆除用捕獲体５にて捕獲するようにしている。
このようにして、ダニなどの駆除対象虫の性質を利用して、ダニなどの駆除対象虫を虫駆除用捕獲体５にて捕獲できるので、駆除対象虫を捕獲した虫駆除用捕獲体５を床部１から取り除いて、そのまま捨てることによって、駆除対象虫を床部１から駆除できる。
【００２２】
前記虫駆除用捕獲体５について説明を加えると、虫駆除用捕獲体５は、上述の虫駆除方法に用いられるものであり、床暖房パネル３を備えた床部１の表面部を覆う状態に設置自在で、かつ、床暖房パネル３による加熱にて床部１から忌避する駆除対象虫を捕獲可能に構成されている。
そして、駆除対象用捕獲体５は、床部１から忌避した駆除対象虫が入り込むことを許容する繊維系にて構成して、床部１から忌避した駆除対象虫が入り込むことにより捕獲可能に構成されている。
また、虫駆除用捕獲体５は、床部１から忌避する駆除対象虫が好むフェロモンなどの物質を塗ることにより、床部から忌避する駆除対象虫が好むように構成されている。
【００２３】
このようにして、虫駆除用捕獲体５を繊維系にて構成することにより、床暖房パネル３による加熱にて床部１から忌避する駆除対象虫を容易な構成の虫駆除用捕獲体５にて捕獲することができ、しかも、床部１から忌避する駆除対象虫が好むフェロモンなどの物質を虫駆除用捕獲体５に塗ることにより、床部１から忌避する駆除対象虫が虫駆除用捕獲体５に移動することを誘起させて、床部１から忌避する駆除対象虫を虫駆除用捕獲体５にて的確に捕獲することができるようにしている。
【００２４】
また、図１に示すように、繊維系にて構成した虫駆除用捕獲体５に、フェロモンなどの物質を塗るようにしているが、例えば、図４に示すように、床部１から忌避した駆除対象虫の通過を許容しないアルミ箔などの表面シート５Ａと、駆除対象虫が好むフェロモンなどの物質を含浸させた繊維系体５Ｂと、床部１から忌避した駆除対象虫が入り込むことを許容する繊維系体５Ｃとから虫駆除用捕獲体５を構成することもできる。
そして、図４に示すように、虫駆除用捕獲体５の厚み方向の中央部に、フェロモンなどの物質を含浸させた繊維系体５Ｂを設け、繊維系体５Ｂの上面に表面シート５Ａを設けることにより、駆除対象虫を虫駆除用捕獲体５の厚み方向の中央部まで入り込ませながら、駆除対象虫が虫駆除用捕獲体５の表面にまで出てくることを阻止できるので、虫駆除用捕獲体５による駆除対象虫の捕獲が確実なものとなる。
【００２５】
ちなみに、上述の虫駆除方法において、人が存在する可能性の高い箇所に虫駆除用捕獲体５を設置することにより、人が存在する可能性の高い箇所において、ダニなどの駆除対象虫を駆除したり、床暖房パネル３が敷設されている箇所の全体にわたって虫駆除用捕獲体５を設置することにより、床暖房パネル３が敷設されている箇所の全体にわたって、ダニなどの駆除対象虫を駆除することができることになる。
【００２６】
また、虫駆除用捕獲体５をロールタイプにすることができ、虫駆除用捕獲体５の大きさは適宜変更することが可能である。
そして、複数枚の虫駆除用捕獲体５を並べて、それら複数枚の虫駆除用捕獲体５にて虫駆除対象の床部１の表面部を覆うように設置したり、１枚の虫駆除捕獲体５にて虫駆除対象の床部１の表面部を覆うように設置して、駆除対象虫を床部１から駆除できる。
例えば、虫駆除対象の床部１の面積が大きいときには、複数枚の虫駆除用捕獲体５を並べて、それら複数枚の虫駆除用捕獲体５にて虫駆除対象の床部１の表面部を覆うように設置することによって、虫駆除用捕獲体５の大きさを小さくすることができ、虫駆除用捕獲体５の設置作業や取り除き作業を容易にすることもできる。
【００２７】
〔第２実施形態〕
この第２実施形態は、上記第１実施形態における床部１の構成の別実施形態を示すものであるので、床部１の構成について、以下、主体的に説明する。
ちなみに、その他の構成については、上記第１実施形態と同様であるので、同符号を記すなどにより、その詳細な説明は省略する。
【００２８】
虫駆除対象の床部１は、図２に示すように、熱媒体流通管２が配設された加熱手段としての床暖房パネル３、および、フローリングなどの床仕上げ材４ａを備えて構成されている。
そして、床仕上げ材４ａの繋ぎ目を覆う状態で虫駆除用捕獲体５を設置した状態で、駆除対象虫が床部１から忌避するように床暖房パネル３にて床部を加熱し、床部１から忌避する駆除対象虫を虫駆除用捕獲体５にて捕獲することにより、床仕上げ材４ａの繋ぎ目に存在するダニなどの駆除対象虫を駆除することができる。
【００２９】
〔第３実施形態〕
この第３実施形態は、上記第１実施形態における虫駆除用捕獲体５の構成の別実施形態を示すものであるので、虫駆除用捕獲体５の構成について、以下、主体的に説明する。
ちなみに、その他の構成については、上記第１実施形態と同様であるので、同符号を記すなどにより、その詳細な説明は省略する。
【００３０】
前記虫駆除用捕獲体５は、図３に示すように、床部１から忌避した駆除対象虫が入り込むことを許容しない膜状体５ａと、その膜状体５ａの表面部に貼り付けられた粘着材５ｂとから構成され、床部１から忌避した駆除対象虫を粘着することにより捕獲可能に構成されている。
このようにして、膜状体５ａに粘着材５ｂを貼り付けて、床部１から忌避した駆除対象虫を粘着することにより捕獲可能に構成することにより、床暖房パネル３による加熱にて床部１から忌避する駆除対象虫を容易な構成の虫駆除用捕獲体５にて捕獲することができるようにしている。
【００３１】
〔別実施形態〕
（１）上記第１〜第３実施形態では、加熱手段としての床暖房パネル３を例示したが、例えば、電気ヒータを備えた電気カーペットなど、加熱手段の構成については適宜変更が可能である。
【００３２】
（２）上記第１〜第３実施形態では、繊維系にて構成したり、粘着材を貼ることにより、駆除用捕獲体５を床暖房パネル３による加熱にて床部１から忌避する駆除対象虫を捕獲可能に構成しているが、他の構成によって、駆除用捕獲体５を床暖房パネル３による加熱にて床部１から忌避する駆除対象虫を捕獲可能に構成することも可能であり、虫駆除用捕獲体５の構成については適宜変更が可能である。
【００３３】
（３）上記第１実施形態では、虫駆除用捕獲体５を繊維系にて構成し、床部１から忌避する駆除対象虫が好むフェロモンなどの物質を虫駆除用捕獲体５に塗るようにしているが、この構成に加えて、虫駆除用捕獲体５に粘着材を貼り付けて、虫駆除用捕獲体５を床部１から忌避した駆除対象虫を粘着することにより捕獲可能に構成することも可能である。
【図面の簡単な説明】
【図１】第１実施形態における床部の縦断斜視図
【図２】第２実施形態における床部の縦断斜視図
【図３】第３実施形態における虫駆除用捕獲体
【図４】第１実施形態における別構成の虫駆除用捕獲体
【符号の説明】
１              床部
３              加熱手段
５              虫駆除用捕獲体
【図１】
2004180510.tif 000003
【図２】
2004180510.tif 000004
【図３】
2004180510.tif 000005
【図４】
2004180510.tif 000006